(57)【要約】【課題】デジタルインターフェースを介して接続される映像表示装置において映像が表示されないといった不具合を回避し易い映像出力装置を提供する。【解決手段】映像出力装置１０は、デジタルインターフェース１４、２３を介して映像表示装置２０と相互通信可能に接続される。映像出力装置１０は、映像表示装置２０に出力する映像に関わる設定を決定する決定部１１１と、決定部１１１の決定に基づいた設定にされた映像データが、映像表示装置２０に対して出力された後に、所定の動作が行われたか否かを確認する確認部１１３と、確認部１１３によって前記所定の動作が行われたことが確認された後に、前記映像に関わる設定が映像表示装置２０に対応した設定となるように変更処理を行う変更処理部１１４と、を備える。【選択図】図１
2014045313.tif 000002
【特許請求の範囲】
【請求項１】
デジタルインターフェースを介して映像表示装置と相互通信可能に接続される映像出力装置であって、
前記映像表示装置に出力する映像に関わる設定を決定する決定部と、
前記決定部の決定に基づいた設定にされた映像データが、前記映像表示装置に対して出力された後に、所定の動作が行われたか否かを確認する確認部と、
前記確認部によって前記所定の動作が行われたことが確認された後に、前記映像に関わる設定が前記映像表示装置に対応した設定となるように変更処理を行う変更処理部と、
を備えることを特徴とする映像出力装置。
【請求項２】
前記デジタルインターフェースを介して前記映像表示装置との間で相互認証を行った上で、前記映像表示装置に映像データを出力するように設けられ、
前記所定の動作は、前記相互認証を再度行う再認証動作であることを特徴とする請求項１に記載の映像出力装置。
【請求項３】
前記変更処理部は、前記映像に関わる設定を自動的に決定することを特徴とする請求項１又は２に記載の映像出力装置。
【請求項４】
前記変更処理部は、前記映像に関わる設定を前記映像表示装置が対応する最も高いレベルに設定することを特徴とする請求項３に記載の映像出力装置。
【請求項５】
前記映像に関わる設定には解像度が含まれることを特徴とする請求項１から４のいずれかに記載の映像出力装置。
【請求項６】
前記デジタルインターフェースは、ＨＤＭＩ（High-Definition Multimedia Interface）規格に準拠して形成されていることを特徴とする請求項１から５のいずれかに記載の映像出力装置。
【発明の詳細な説明】
【技術分野】
【０００１】
本発明は、映像出力装置に関する。
【背景技術】
【０００２】
従来、例えば光ディスク再生装置やデジタルビデオカメラ等、映像表示装置（例えばテレビジョン受像機やプロジェクタ等）に映像（映像データ）を出力する映像出力装置が知られている。最近では、映像出力装置及び映像表示装置は、ＨＤＭＩ（High-Definition Multimedia Interface）規格に準拠したＨＤＭＩ端子を備え、両者はＨＤＭＩケーブルを介して接続されることが多い。ＨＤＭＩ規格では、ＨＤＭＩケーブルを介して、映像音声データだけではなく、例えば解像度等の映像に関わる設定情報についても送受信できる。
【０００３】
ＨＤＭＩ端子を備える映像出力装置の中には、例えば解像度の設定が、当該映像出力装置に接続される映像表示装置の性能に基づいて自動設定されるものがある（例えば特許文献１参照）。例えば、映像出力装置は、ＨＤＭＩケーブルを介して映像表示装置からＥＤＩＤ（Extended Display Identification Data）を取得し、取得したＥＤＩＤから得られる最も高い解像度を選択して、当該解像度の映像データを出力する。
【先行技術文献】
【特許文献】
【０００４】
【特許文献１】特開２００７−２１４８３０号公報
【発明の概要】
【発明が解決しようとする課題】
【０００５】
映像出力装置の映像に関わる設定（例えば解像度）については、ユーザの好みに合わせた設定ができるように、上述のような自動設定ではなく、手動設定できるものもある。また、映像出力装置の中には、例えば記録されたコンテンツの解像度のままで、映像表示装置に映像データを出力するものもある。
【０００６】
手動設定で決定された解像度や記録コンテンツによって決まる解像度が、映像表示装置に対応しない解像度である場合、映像出力装置にＨＤＭＩケーブルを介して接続される映像表示装置において、映像が表示されない状態になる。このような場合、対処に困ったユーザは、製造元に問い合わせなければならない。また、このような場合、ユーザは、映像出力装置が不良品であると判断することもある。
【０００７】
そこで、本発明は、デジタルインターフェースを介して接続される映像表示装置において映像が表示されないといった不具合を回避し易い映像出力装置を提供することを目的とする。
【課題を解決するための手段】
【０００８】
上記目的を達成するために本発明の映像出力装置は、デジタルインターフェースを介して映像表示装置と相互通信可能に接続される映像出力装置であって、前記映像表示装置に出力する映像に関わる設定を決定する決定部と、前記決定部の決定に基づいた設定にされた映像データが、前記映像表示装置に対して出力された後に、所定の動作が行われたか否かを確認する確認部と、前記確認部によって前記所定の動作が行われたことが確認された後に、前記映像に関わる設定が前記映像表示装置に対応した設定となるように変更処理を行う変更処理部と、を備える構成（第１の構成）とされる。なお、この構成では、前記変更処理部は、前記確認部によって前記所定の動作が行われたことが確認された後に、前記映像に関わる設定が前記映像表示装置に対応した設定になっていない場合に、前記変更処理を行う構成であるのが好ましい。
【０００９】
本構成によれば、決定部によって決定された設定によっては、映像表示装置で映像が表示されないという事態が一旦発生する可能性がある。しかしながら、本構成の映像出力装置では、この事態の後に行われる所定の動作を契機として、映像表示装置に映像を表示させることができる。所定の動作として、例えば、映像が表示されないという事態が発生した場合にユーザが一般的に行う動作、或いは、そのような動作に起因して映像出力装置が自動的に行う動作が選択されることによって、映像が表示されないという不具合を簡単に回避可能となる。
【００１０】
上記第１の構成の映像出力装置は、前記デジタルインターフェースを介して前記映像表示装置との間で相互認証を行った上で、前記映像表示装置に映像データを出力するように設けられ、前記所定の動作は、前記相互認証を再度行う再認証動作である構成（第２の構成）とするのが好ましい。再認証動作は、例えば、電源がオフからオンとされた場合、デジタルインターフェース間の接続を確立するケーブルの抜き差しが行われた場合、映像表示装置の入力の切り換えが行われた場合等、不具合が生じた際にユーザが一般的に行う動作に起因して行われる。このために、本構成によれば、映像が表示されないという不具合を簡単に回避可能となる。
【００１１】
上記第１又は第２の構成の映像出力装置において、前記変更処理部は、前記映像に関わる設定を自動的に決定する構成（第３の構成）であるのが好ましい。本構成によれば、ユーザは特に入力処理を行うことなく不具合を回避できる。
【００１２】
上記第３の構成の映像出力装置において、前記変更処理部は、前記映像に関わる設定を前記映像表示装置が対応する最も高いレベルに設定する構成（第４の構成）であってよい。本構成によれば、映像が表示されないという不具合を回避した後の映像の質をできるだけ良いものとできる。
【００１３】
上記第１から第４のいずれかの構成の映像出力装置において、前記映像に関わる設定には解像度が含まれる構成（第５の構成）であってよい。解像度の違いは、見た目でわかり易く、解像度は、映像に関わる設定の中で重要な設定項目である。その他、映像に関わる設定には、カラー設定等が含まれてもよい。
【００１４】
上記第１から第５のいずれかの構成の映像出力装置において、前記デジタルインターフェースは、ＨＤＭＩ規格に準拠して形成されている構成（第６の構成）であってもよい。ＨＤＭＩ規格に準拠したデジタルフェースは普及率が高く、本発明の適用に適している。その他、例えば、前記デジタルインターフェースは、ＭＨＬ（Mobile High-definition Link）規格に準拠するもの等でもよい。
【発明の効果】
【００１５】
本発明によれば、デジタルインターフェースを介して接続される映像表示装置において映像が表示されないといった不具合を回避し易い映像出力装置を提供できる。
【図面の簡単な説明】
【００１６】
【図１】本発明の実施形態に係る映像出力装置の構成を説明するためのブロック図
【図２】本発明の実施形態に係る映像出力装置が備える制御部の機能構成を示すブロック図
【図３】本発明の実施形態に係る映像出力装置において、当該装置から出力された映像が映像表示装置において表示されないといった不具合を回避するための処理を示すフローチャート
【図４】本発明の実施形態に係る映像出力装置が備える変更処理部の動作の一例を説明するためのフローチャート
【図５】本発明の実施形態に係る映像出力装置が備える変更処理部の動作の他の例を説明するためのフローチャート
【発明を実施するための形態】
【００１７】
以下、本発明に係る映像出力装置の実施形態について、図面を参照しながら詳細に説明する。
【００１８】
図１は、本発明の実施形態に係る映像出力装置１０の構成を説明するためのブロック図である。なお、図１には、本発明の理解を容易とするために、映像出力装置１０と相互通信可能に接続される映像表示装置２０についても示されている。映像出力装置１０と映像表示装置２０とは、ＨＤＭＩケーブル３０を介して接続されている。
【００１９】
映像出力装置１０としては、例えばＢＤプレーヤ、ＢＤレコーダ、ＤＶＤプレーヤ、ＤＶＤレコーダ、ＣＤプレーヤ等の、光ディスクに記録された情報を再生可能な光ディスク再生装置や、デジタルビデオカメラ、ホームシアターセットのセット本体等が挙げられる。また、映像表示装置２０としては、例えばテレビジョン受像機やリアプロジェクタ等が挙げられる。
【００２０】
図１に示すように、映像出力装置１０には、マイクロプロセッサを備える制御部１１が含まれる。制御部１１は、当該装置１０を構成する各部の動作を制御する。制御部１１は、映像出力装置１０から出力された映像が映像表示装置２０において表示されないといった不具合を回避し易くする機能を備える。この点の詳細は後述する。
【００２１】
映像出力装置１０が備える映像音声再生処理部１２は、映像が記録された媒体（例えば光ディスクやハードディスク等）から映像及び音声データを読み出して、映像信号及び音声信号を出力する。信号処理部１３は、映像音声処理部１２から映像信号及び音声信号を受け取り、制御部１１からの指示にしたがって、映像データ及び音声データに関する信号処理を行う。この信号処理部１３による信号処理には、映像や音声に関わる設定が、所定の設定になるように処理する信号処理が含まれる。信号処理部１４によって処理が行われた映像信号及び音声信号は、ＨＤＭＩ通信部１４から、ＨＤＭＩケーブル３０を介して映像表示装置２０へと送信される。
【００２２】
なお、映像に関わる設定としては、例えば、解像度設定、カラー設定、アスペクト比の設定、映像の次元（２Ｄ／３Ｄ）設定等が含まれてよい。また、音声に関わる設定としては、音声ファイルフォーマットの種類設定、最高音声サンプリング周波数の設定、最高音声チェンネル数の設定等が含まれてよい。
【００２３】
ＨＤＭＩ通信部１４は、映像表示装置２０との間で、映像信号、音声信号、映像及び音声に関わる設定情報を送受信可能とするデジタルインターフェースである。ＨＤＭＩ規格に準拠したインターフェースは複数のチャンネルを有する。映像信号及び音声信号は、ＴＭＤＳ（Transition Minimized Differential Signaling）チャンネルを使用して送受信される。映像及び音声に関わる設定情報は、ＣＥＣ（Consumer Electronics Control）チャンネルを使用して送受信される。
【００２４】
記憶部１５は、制御部１１が実行する制御プログラムを格納したＲＯＭ（Read Only Memory）と、制御部１１に作業エリアを提供するためのＲＡＭ（Random Access Memory）と、各種の設定情報や制御情報等が格納される不揮発性メモリと、を備える。記憶部１５には、例えばＥＤＩＤ（Extended Display Identification Data）のような認識データが記憶される。この認識データには、映像出力装置１０が対応可能な解像度設定やカラー設定等の映像に関わる設定等が含まれる。制御部１１は、記憶部１５に記憶されるＥＤＩＤを読み出して、映像出力装置１０で対応可能な映像に関わる設定等を特定することができる。
【００２５】
映像表示装置２０には、マイクロプロセッサを有する制御部２１が含まれる。制御部２１は、当該装置２０を構成する各部の動作を制御する。映像音声処理部２２は、制御部２１の指示にしたがって、ＨＤＭＩ通信部２３で受信した映像信号及び音声信号を処理する。映像音声処理部２２で処理された映像信号は、表示部２４に出力される。表示部２４は、ＬＣＤ（Liquid Crystal Display）等によって構成される。映像音声処理部２２で処理された音声信号は、スピーカー２５に出力される。映像音声処理部２２は、図示しないチューナー部で受信されたテレビ放送の受信信号を処理するものであってよい。
【００２６】
なお、ＨＤＭＩ通信部２３は、映像出力装置１０との間で、映像信号、音声信号、映像及び音声に関わる設定情報を送受信可能とするデジタルインターフェースである。また、映像表示装置２０にも、映像出力装置１０と同様に、映像表示装置２０に関するＥＤＩＤを記憶する記憶部２６が備えられている。
【００２７】
以上のような、ＨＤＭＩ規格に準拠したインターフェースを介して接続される映像出力装置１０と映像表示装置２０とで構成されるシステム１において、映像出力装置１０は、映像表示装置２０との間でＨＤＣＰ（High Bandwidth Digital Content Protection ）仕様に準拠した相互認証処理を行う。そして、相互認証処理が成功した場合にのみ、映像出力装置１０から映像表示装置２０への信号伝送が許容され、映像表示装置２０による映像表示や音声再生が可能になる。
【００２８】
なお、相互認証処理のタイミングとしては、例えば、電源がオフからオンとされた場合、ＨＤＭＩケーブル３０の抜き差しが行われた場合、映像表示装置２０における入力設定が映像出力装置１０からの情報を受信するように切り換えられた場合等が挙げられ、その構成としては公知の構成を適用できる。
【００２９】
図２は、本発明の実施形態に係る映像出力装置１０が備える制御部１１の機能構成を示すブロック図である。図２に示すように、制御部１１は、機能的に、決定部１１１と、判断部１１２と、確認部１１３と、変更処理部１１４と、を備える。制御部１１は、映像出力装置１０が備える記憶部１５に予め格納されたプログラムを読み出して実行することによって、各部１１１〜１１４の機能を発揮する。
【００３０】
決定部１１１は、映像出力装置１０が映像表示装置２０に出力する映像に関わる設定を決定する。決定部１１１は、例えば、予め映像出力装置１０の記憶部１５に格納された固定値となるように、映像に関わる設定を決定する構成であってよい。また、決定部１１１は、例えばユーザの好みで決められた設定値となるように、映像に関わる設定を決定する構成であってもよい。この場合、ユーザが設定値の選択を行えるように、入力手段を備える必要がある。この入力手段は、例えばリモコン等であってよい。更に、決定部１１１は、例えば記録媒体（例えば光ディスク）に記録されたコンテンツの設定値のまま出力が行われるように、映像に関わる設定を決定する構成であってもよい。
【００３１】
判断部１１２は、ＨＤＭＩ通信部１４、２３を介して映像表示装置２０からＥＤＩＤを取得する。そして、判断部１１２は、決定部１１１によって決定された設定が、映像表示装置２０に対応する設定であるか否かを判断する。
【００３２】
確認部１１３は、決定部１１１によって決定された設定で映像データが映像表示装置２０に出力された後に、所定の動作が行われた否かの確認を行う。所定の動作としては、例えば、電源がオフからオンとされる動作、ＨＤＭＩケーブル３０の抜き差し、映像表示装置２０における入力設定が映像出力装置１０からの情報を受信するように切り換える動作等であってよい。そして、所定の動作に該当する動作の種類は１種類でもよいが、複数種類であってもよい。なお、所定の動作としては、ＨＤＭＩケーブル３０で映像出力装置１０と映像表示装置２０とを接続した結果、映像が表示されなかった場合に、ユーザが試しやすい動作、又は、そのようなユーザの動作に起因して自動的に実行される動作であるのが好ましい。
【００３３】
本実施形態では、所定の動作の一例として、ＨＤＣＰ仕様に準拠した相互認証を再度行う再認証動作を採用している。再認証動作は、上述の電源オン動作、ＨＤＭＩケーブル３０の抜き差し、映像表示装置２０の切り換え動作等が行われることによって自動的に実行される。なお、決定部１１１によって決定された設定で映像データが映像表示装置２０に出力される前に、ＨＤＣＰ仕様に準拠した相互認証は既に行われている。このために、決定部１１１によって決定された設定で映像データが映像表示装置２０に出力された後に行われる相互認証は再認証に該当する。
【００３４】
変更処理部１１４は、確認部１１３で所定の動作が確認された後に、決定部１１１で決定された映像に関わる設定が映像表示装置２０に対応した設定でないと判断部１１２によって判断された場合に、映像に関わる設定の変更処理を行う。この変更処理は、映像に関わる設定が映像表示装置２０に対応した設定となるように変更する処理であるが、その詳細は後述する。
【００３５】
次に、以上のような機能部（図２に示す機能部）を利用して、映像出力装置１０から出力された映像が映像表示装置２０において表示されない、といった不具合を回避する処理について、図３のフローチャートを参照しながら説明する。なお、ここでは、映像に関わる設定が解像度である場合を例に説明するが、映像に関わる設定は解像度に限定される趣旨ではなく、他の設定（例えばカラー設定等）であってもよい。また、映像に関わる設定は、１つではなく、複数であってもよい。
【００３６】
図３に示すように、まず、決定部１１１によって、映像出力装置１０から映像表示装置２０に出力される解像度が決定される（ステップＳ１）。ここでの解像度の決定は、映像表示装置２０に対応した、適切な解像度に決定されるとは限らない。解像度が決定されると、決定された解像度となるように、信号処理部１３で映像データに関する処理が行われる。
【００３７】
また、解像度が決定されると、判断部１１２は、ＨＤＭＩ通信部１４、２３を介して映像表示装置２０からＥＤＩＤを取得する。そして、判断部１１２は、決定された解像度が映像表示装置２０に対応する設定であるか否かを判断する（ステップＳ２）。
【００３８】
決定された解像度が映像表示装置２０に対応する設定である場合（ステップＳ２でＹｅｓ）、決定した解像度で、映像出力装置１０から映像表示装置２０へと映像データが出力される（ステップＳ３）。この場合には、映像出力装置１０と映像表示装置２０との解像度の対応関係が適切であるために、映像表示装置２０において映像が表示される。このために、映像出力装置１０から出力された映像が映像表示装置２０において表示されないといった不具合を回避するための処理は終了する。
【００３９】
決定された解像度が映像表示装置２０に対応しない設定である場合（ステップＳ２でＮｏ）も、決定部１１１の決定に従って、映像出力装置１０から映像表示装置２０へと映像データが出力される。なお、この前にＨＤＣＰ仕様の相互認証は完了している。ところで、この場合には、映像出力装置１０と映像表示装置２０との解像度の対応関係が不適切であるために、通常は、映像表示装置２０において映像が表示されないと予想される。このために、決定された解像度での出力が行われると、確認部１１３が、再認証が行われたか否かの確認を開始する（ステップＳ４）。
【００４０】
確認部１１３は、再認証が行われたことが確認されるまで確認を続ける（ステップＳ５）。確認部１１３によって再認証が行われたことが確認されると（ステップＳ５でＹｅｓ）、判断部１１２によって、再度、ＨＤＭＩ通信部１４、２３を介して映像表示装置２０からＥＤＩＤが取得される。そして、判断部１１２は、先に決定部１１１で決定された解像度が映像表示装置２０に対応する設定であるか否かを再度判断する（ステップＳ６）。
【００４１】
なお、ステップＳ２で行った判断をステップＳ６で再度行うのは、次の理由による。ステップＳ４の後、映像表示装置２０で映像が表示されなかった場合、ユーザは映像出力装置１０にＨＤＭＩケーブル３０を使用して接続する対象を、別の映像表示装置に取り換える可能性がある。そして、取り換えられた映像表示装置は、取り換えられる前の映像表示装置とは、対応する解像度が異なるものとなっている可能性がある。ステップＳ６は、このような点を考慮して行われるようになっている。なお、場合によっては、ステップＳ６は省略されても構わない。
【００４２】
先に決定部１１１で決定された解像度が映像表示装置２０に対応する設定であると判断された場合（ステップＳ６でＹｅｓ）、決定部１１１の決定にしたがった解像度で映像データの出力が行われる（ステップＳ７）。この場合には、映像出力装置１０と映像表示装置２０との解像度の対応関係が適切であるために、映像表示装置２０において映像が表示される。このために、映像が映像表示装置２０において表示されないといった不具合を回避するための処理は終了する。
【００４３】
一方、先に決定部１１１で決定された解像度が映像表示装置２０に対応する設定でないと判断された場合（ステップＳ６でＮｏ）、変更処理部１１４によって、映像表示装置２０に対応した解像度となるように、解像度の変更処理が行われる（ステップＳ８）。そして、変更された解像度にしたがった映像データが映像表示装置２０に出力される（ステップＳ９）。解像度の変更処理によって、映像出力装置１０と映像表示装置２０との解像度の対応関係が適切になっているために、映像表示装置２０で映像が表示される。これにより、映像が映像表示装置２０において表示されないといった不具合を回避するための処理は終了する。
【００４４】
なお、以上に示したフローチャート（図３参照）におけるステップＳ２（付随してステップＳ３）は、場合によっては設けなくても構わない。ただし、本実施形態のようにステップＳ２を設けた方が、決定部１１１で適切な解像度に決定された場合の処理がわかり易いために好ましい。
【００４５】
ここで、変更処理部１１４によって行われる解像度の変更処理について、もう少し説明しておく。図４は、本発明の実施形態に係る映像出力装置１０が備える変更処理部１１４の動作の一例を説明するためのフローチャートである。
【００４６】
図４に示すように、先に決定部１１１で決定された解像度が映像表示装置２０に対応する設定でないと判断された場合（ステップＳ６でＮｏ）、変更処理部１１４は、出力する解像度について、映像表示装置２０が対応する所定の解像度に自動決定する（ステップＳ８ａ）。所定の解像度としては、例えば、映像表示装置２０が対応する最大の解像度や、映像表示装置２０が推奨する解像度等が挙げられる。
【００４７】
変更処理部１１４は、解像度を自動決定した後、信号処理部１３を制御して、自動決定した解像度となるように映像データの変更処理を行う（ステップＳ８ｂ）。その後、ステップＳ９（図３参照）の映像出力処理が行われる。
【００４８】
図５は、本発明の実施形態に係る映像出力装置１０が備える変更処理部１１４の動作の他の例を説明するためのフローチャートである。
【００４９】
図５に示すように、先に決定部１１１で決定された解像度が映像表示装置２０に対応する設定でないと判断された場合（ステップＳ６でＮｏ）、変更処理部１１４は、ユーザに解像度の選択処理を促す（ステップＳ８ｃ）。この場合、選択可能な解像度は、映像表示装置２０が対応する解像度に限られる。選択画面は、例えば映像出力装置１０が有する表示部（不図示）等を使用できる。
【００５０】
この後、ユーザが、例えばリモコン等の入力手段を使用して解像度を入力したか否かの確認が続けられる（ステップＳ８ｄ）。この確認は、所定の時間だけ行われるようにしてもよい。そして、ユーザが所定の時間内に選択しない場合は、変更処理部１１４が解像度を自動決定するようにしてもよい。
【００５１】
解像度の入力が行われると（ステップＳ８ｄでＹｅｓ）、変更処理部１１４は、信号処理部１３を制御して、入力された解像度となるように映像データの変更処理を行う（ステップＳ８e）。その後、ステップＳ９（図３参照）の映像出力処理が行われる。
【００５２】
以上のように、本実施形態の映像出力装置１０では、強制的に設定された解像度（映像に関わる設定の一例）にしたがって映像の出力を行うことによって、映像表示装置２０で映像が表示されないといった事態を招く可能性がある。しかしながら、この場合でも、ユーザが通常行うと考えられる対処（電源のオンオフ等）を契機として、映像表示装置２０に映像を表示させることができる。このために、本実施形態の映像出力装置１０によれば、映像出力装置１０から出力される映像が映像表示装置２０で表示されない場合の対処に、ユーザが困る可能性を低減できる。
【００５３】
以上に示した実施形態は本発明の例示であり、本発明の適用範囲は、以上に示した実施形態の構成に限定されるものではない。
【００５４】
例えば、以上においては、映像出力装置１０と映像表示装置２０とを接続するデジタルインターフェースがＨＤＭＩ規格に準拠するものである構成とした。しかし、本発明のデジタルインターフェースは、これに限られる趣旨ではなく、例えば、ＭＨＬ（Mobile High-definition Link）規格に準拠するものや、ＩＥＥＥ１３９４規格に準拠するもの等、他のデジタルインターフェースであってもよい。
【符号の説明】
【００５５】
１０  映像出力装置
１４、２３  ＨＤＭＩ通信部（デジタルインターフェース）
２０  映像表示装置
１１１  決定部
１１３  確認部
１１４  変更処理部
【図１】
2014045313.tif 000003
【図２】
2014045313.tif 000004
【図３】
2014045313.tif 000005
【図４】
2014045313.tif 000006
【図５】
2014045313.tif 000007